(57)【要約】【課題】  本体後方に加熱コイルを設けた場合でも、当該加熱コイルの十分な冷却風量を確保することができる誘導加熱調理器を提供すること。【解決手段】  複数の加熱コイル１８，２０，２２の一つを本体２内部の後方に配置し、この加熱コイル２２を載置するコイルベース２８にファンカバー４４の上方に向かって延出する延出部２８ａを形成した。また、延出部２８ａに通風路６８を形成して、吸気ファン４０より吐出された空気を通風路６８を介して加熱コイル２２に向かって送り加熱コイル２２を冷却するようにした。【選択図】図３
2008059982.tif 000002
【特許請求の範囲】
【請求項１】
本体と、該本体の上面を覆うトッププレートと、該トッププレートの下方に設けられた複数の加熱コイルと、該複数の加熱コイルの各々を載置するコイルベースと、前記本体の前面に開口部を有するロースターと、該ロースターを覆うロースターカバーと、外部の空気を前記トッププレートの後方に形成された吸気口から取り入れるための吸気ファンとを備えた誘導加熱調理器であって、
前記複数の加熱コイルの一つが前記本体内部の後方に配置され、該後方の加熱コイルを載置する前記コイルベースが前記吸気ファンを覆うファンカバーの上方に向かって延出する延出部を備え、該延出部に通風路を形成して、前記吸気ファンより吐出された空気が前記通風路を介して前記後方の加熱コイルに向かって流れるようにしたことを特徴とする誘導加熱調理器。
【請求項２】
本体と、該本体の上面を覆うトッププレートと、該トッププレートの下方に設けられた複数の加熱コイルと、該複数の加熱コイルの各々を載置するコイルベースと、前記本体の前面に開口部を有するロースターと、該ロースターを覆うロースターカバーと、外部の空気を前記トッププレートの後方に形成された吸気口から取り入れるための吸気ファンとを備えた誘導加熱調理器であって、
前記複数の加熱コイルの一つが前記本体内部の後方に配置され、該後方の加熱コイルを載置する前記コイルベースが前記吸気ファンを覆うファンカバーの上方に向かって延出する延出部を備え、前記吸気ファンより吐出され前記延出部に突き当たった空気が前記後方の加熱コイルを載置する前記コイルベースの下方に向かって流れるようにしたことを特徴とする誘導加熱調理器。
【請求項３】
前記後方の加熱コイルを載置する前記コイルベースを前記ファンカバーの一部で支えるようにしたことを特徴とする請求項１あるいは２に記載の誘導加熱調理器。
【請求項４】
前記後方の加熱コイルを載置する前記コイルベースを支える複数の支持部材の一つを前記ファンカバーに設け、残りの支持部材を前記ロースターカバーに設けたことを特徴とする請求項３に記載の誘導加熱調理器。
【請求項５】
前記後方の加熱コイルの外周部の接線のうち、前記通風路の略中心と前記後方の加熱コイルの中心を結ぶ線に対して平行な二本の接線の外側に前記残りの支持部材を配置したことを特徴とする請求項１に記載の誘導加熱調理器。
【請求項６】
前記ファンカバーに設けた前記支持部材を前記吸気ファンの外殻を形成する吸気ファンケースの側壁上方の近傍に配置したことを特徴とする請求項４に記載の誘導加熱調理器。
【請求項７】
前記後方の加熱コイルを載置する前記コイルベースが、加熱コイルを保持するための略平行に延びる二つのコイルホルダを有し、該コイルホルダが前記通風路の略中心と前記後方の加熱コイルの中心を結ぶ線に略平行に延在することを特徴とする請求項１に記載の誘導加熱調理器。
【請求項８】
前記後方の加熱コイルを載置する前記コイルベースが、加熱コイルの外側に配置された防磁リングを有し、該防磁リングの外側に前記通風路を形成したことを特徴とする請求項１に記載の誘導加熱調理器。
【請求項９】
前記後方の加熱コイルを載置する前記コイルベースが、前記防磁リングを保持するための係止部と螺着部を有することを特徴とする請求項８に記載の誘導加熱調理器。
【請求項１０】
前記螺着部を前記係止部より風上側に設けたことを特徴とする請求項９に記載の誘導加熱調理器。
【請求項１１】
前記ファンカバーの近傍に補助ファンを設け、該補助ファンからの空気が前記延出部に向かって流れるようにしたことを特徴とする請求項１あるいは２に記載の誘導加熱調理器。
【請求項１２】
前記ファンカバーに補助ファンケースを形成し、該補助ファンケースに前記補助ファンを収容したことを特徴とする請求項１０に記載の誘導加熱調理器。
【請求項１３】
前記補助ファンケースが下部ケースであり、該下部ケースに上部ケースを取り付けるとともに、前記下部ケースに空気の吸入口を形成する一方、前記上部ケースに空気の吐出口を形成したことを特徴とする請求項１２に記載の誘導加熱調理器。
【発明の詳細な説明】
【技術分野】
【０００１】
本発明は、システムキッチン等に組み込んで使用する誘導加熱調理器に関する。
【背景技術】
【０００２】
従来、この種の加熱調理器には、トッププレートと筐体により一体化された本体内に吸気専用ファンと排気専用ファンを設けて吸排気経路を強制的に形成したものがある。このような加熱調理器では、機器内部の圧力損失が大きくても、吸気口より取り入れた空気は排気口より確実に排気されるので、機器の冷却が効率よく行われる（例えば、特許文献１参照。）。
【０００３】
また、本体内の前部には誘導加熱手段を構成する複数（例えば、二つ）の加熱コイルが設けられ、加熱コイル後方には電気抵抗発熱式加熱手段であるラジェントヒータが設けられているものもあり、吸気専用ファンから取り入れた空気は、電子部品を備えた制御基板を冷却し、さらに加熱調理器前面に設けられた操作部あるいは加熱庫や加熱コイル等の発熱部を冷却した後、排気専用ファンにより外部に排出される（例えば、特許文献２参照。）。
【０００４】
【特許文献１】特開平１１−３５４２６４号公報
【特許文献２】特開２００４−２８８６５０号公報
【発明の開示】
【発明が解決しようとする課題】
【０００５】
最近では、加熱コイル後方に設けられたラジェントヒータに代えて第３の加熱コイルを設けたものも提案されているが、ラジェントヒータは冷却する必要がないのに対し、加熱コイルは冷却する必要があることから、第３の加熱コイルを設けた三口誘導加熱調理器に、加熱コイルの後方にラジェントヒータを設けた構成の加熱調理器と同様の吸排気経路を採用すると、第３の加熱コイルに十分な冷却風量を確保できないという問題が生じる。
【０００６】
本発明は、従来技術の有するこのような問題点に鑑みてなされたものであり、本体後方に加熱コイルを設けた場合でも、当該加熱コイルの十分な冷却風量を確保することができる誘導加熱調理器を提供することを目的としている。
【課題を解決するための手段】
【０００７】
上記目的を達成するために、本発明のうちで請求項１に記載の発明は、本体と、該本体の上面を覆うトッププレートと、該トッププレートの下方に設けられた複数の加熱コイルと、該複数の加熱コイルの各々を載置するコイルベースと、前記本体の前面に開口部を有するロースターと、該ロースターを覆うロースターカバーと、外部の空気を前記トッププレートの後方に形成された吸気口から取り入れるための吸気ファンとを備えた誘導加熱調理器であって、前記複数の加熱コイルの一つが前記本体内部の後方に配置され、該後方の加熱コイルを載置する前記コイルベースが前記吸気ファンを覆うファンカバーの上方に向かって延出する延出部を備え、該延出部に通風路を形成して、前記吸気ファンより吐出された空気が前記通風路を介して前記後方の加熱コイルに向かって流れるようにしたことを特徴とする。
【０００８】
また、請求項２に記載の発明は、本体と、該本体の上面を覆うトッププレートと、該トッププレートの下方に設けられた複数の加熱コイルと、該複数の加熱コイルの各々を載置するコイルベースと、前記本体の前面に開口部を有するロースターと、該ロースターを覆うロースターカバーと、外部の空気を前記トッププレートの後方に形成された吸気口から取り入れるための吸気ファンとを備えた誘導加熱調理器であって、前記複数の加熱コイルの一つが前記本体内部の後方に配置され、該後方の加熱コイルを載置する前記コイルベースが前記吸気ファンを覆うファンカバーの上方に向かって延出する延出部を備え、前記吸気ファンより吐出され前記延出部に突き当たった空気が前記後方の加熱コイルを載置する前記コイルベースの下方に向かって流れるようにしたことを特徴とする。
【０００９】
さらに、請求項３に記載の発明は、前記後方の加熱コイルを載置する前記コイルベースを前記ファンカバーの一部で支えるようにしたことを特徴とする。
【００１０】
また、請求項４に記載の発明は、前記後方の加熱コイルを載置する前記コイルベースを支える複数の支持部材の一つを前記ファンカバーに設け、残りの支持部材を前記ロースターカバーに設けたことを特徴とする。
【００１１】
また、請求項５に記載の発明は、前記後方の加熱コイルの外周部の接線のうち、前記通風路の略中心と前記後方の加熱コイルの中心を結ぶ線に対して平行な二本の接線の外側に前記残りの支持部材を配置したことを特徴とする。
【００１２】
また、請求項６に記載の発明は、前記ファンカバーに設けた前記支持部材を前記吸気ファンの外殻を形成する吸気ファンケースの側壁上方の近傍に配置したことを特徴とする。
【００１３】
また、請求項７に記載の発明は、前記後方の加熱コイルを載置する前記コイルベースが、加熱コイルを保持するための略平行に延びる二つのコイルホルダを有し、該コイルホルダが前記通風路の略中心と前記後方の加熱コイルの中心を結ぶ線に略平行に延在することを特徴とする。
【００１４】
また、請求項８に記載の発明は、前記後方の加熱コイルを載置する前記コイルベースが、加熱コイルの外側に配置された防磁リングを有し、該防磁リングの外側に前記通風路を形成したことを特徴とする。
【００１５】
また、請求項９に記載の発明は、前記後方の加熱コイルを載置する前記コイルベースが、前記防磁リングを保持するための係止部と螺着部を有することを特徴とする。
【００１６】
また、請求項１０に記載の発明は、前記螺着部を前記係止部より風上側に設けたことを特徴とする。
【００１７】
また、請求項１１に記載の発明は、前記ファンカバーの近傍に補助ファンを設け、該補助ファンからの空気が前記延出部に向かって流れるようにしたことを特徴とする。
【００１８】
また、請求項１２に記載の発明は、前記ファンカバーに補助ファンケースを形成し、該補助ファンケースに前記補助ファンを収容したことを特徴とする。
【００１９】
また、請求項１３に記載の発明は、前記補助ファンケースが下部ケースであり、該下部ケースに上部ケースを取り付けるとともに、前記下部ケースに空気の吸入口を形成する一方、前記上部ケースに空気の吐出口を形成したことを特徴とする。
【発明の効果】
【００２０】
本発明によれば、後方の加熱コイルを載置するコイルベースにファンカバーの上方に向かって延出する延出部を設け、該延出部に通風路を形成すると、吸気ファンより吐出された空気が通風路を介して後方の加熱コイルに向かって流れるので、後方の加熱コイルも十分に冷却することができる。
【００２１】
また、上述した延出部に通風路を形成しない場合には、吸気ファンより吐出され延出部に突き当たった空気が後方の加熱コイルを載置するコイルベースの下方に向かって流れ加熱コイルを含むコイルベース全体を下方より冷却することができる。
【００２２】
さらに、後方の加熱コイルを載置するコイルベースをファンカバーの一部で支えるようにしたので、ファンカバーの支持部が後方の加熱コイルを冷却する風を妨げることがない。
【００２３】
また、後方の加熱コイルを載置するコイルベースを支える複数の支持部材の一つをファンカバーに設け、残りの支持部材をロースターカバーに設けると、後方の加熱コイルをバランスよく支えることができるとともに、所望の通風路を確保することができる。
【００２４】
また、後方の加熱コイルの外周部の接線のうち、延出部に形成した通風路の略中心と加熱コイルの中心を結ぶ線に対して平行な二本の接線の外側にロースターカバーに設けた支持部材を配置すると、支持部材が冷却風の妨げになることなく、コイル全体を効率よく冷却することができる。
【００２５】
また、ファンカバーに設けた支持部材を突設部の近傍に配置したので、支持部材の強度を十分に確保することができる。
【００２６】
また、後方の加熱コイルを保持するための略平行に延びる二つのコイルホルダを、通風路の略中心と加熱コイルの中心を結ぶ線に略平行に延在させたので、コイルホルダが冷却風の妨げになることなく、コイル表面に効率よく風を送ることができる。
【００２７】
また、後方の加熱コイルの外側に防磁リングを配置し、防磁リングの外側に通風路を形成したので、防磁リングの冷却を効率的に行うことができる。
【００２８】
また、後方の加熱コイルを載置するコイルベースに防磁リングを保持するための係止部を設けたので、一部をコイルベースに螺着した防磁リングあるいはコイルベースの熱膨張に起因する変形を防止しながら防磁リングの固定を確実に行うことができる。さらに、防磁リングに反りがあったとしても、ねじと係止部で防磁リングを保持することで、防磁リングの所定の平面度を確保することができる。
【００２９】
また、螺着部を係止部より風上側に設けたので、螺着に使用するねじを確実に冷却することができ、ねじの弛みを防止することができる。
【００３０】
また、ファンカバーの近傍に補助ファンを設け、補助ファンからの空気が通風路に向かって流れるようにすると、後方の加熱コイルの冷却をより確実に行うことができる。
【発明を実施するための最良の形態】
【００３１】
以下、本発明の実施の形態について、図面を参照しながら説明する。
図１乃至図３は、本発明にかかる誘導加熱調理器を示しており、調理器本体２はキッチンのキャビネットの天面に設けた開口部に上から落とし込んで組み込まれる。本体２の上面は結晶化セラミックを素材としたトッププレート４の周囲をプレート枠６で囲んで覆われている。トッププレート４には複数（本実施の形態では三つ）の加熱部８，１０，１２が印刷により表示されている。トッププレート４の後方で本体２の後部には、外部の空気を本体２内に取り入れるための吸気口１４と、本体２内の加熱された空気を外部に排出するための排気口１６が形成されている。
【００３２】
加熱部８，１０，１２に対応する本体２内部には、誘導加熱手段を構成する第１及び第２の加熱コイル１８，２０が前方に配設され、これら二つの加熱コイル１８，２０の後方に第３の加熱コイル２２が配設されている。また、これら三つの加熱コイル１８，２０，２２はコイルベース２４，２６，２８にそれぞれ載置されている。
【００３３】
第１の加熱コイル（図１の左側の加熱コイル）１８の下方には、本体前面に開口部を有するロースター３０が、魚などを加熱する加熱庫として破線で示されるように形成されており、ロースター３０からの熱を遮蔽する仕切り板としてのロースターカバー３２が第１の加熱コイル１８とロースター３０との間に介装されている。また、ロースターカバー３２とロースター３０の上面には断熱のための隙間が設けられている。
【００３４】
ロースターカバー３２の上には、第１の加熱コイル１８が載置されたコイルベース２４を支えるための複数（例えば、三つ）の支持部材（図示せず）が一体的に形成されており、この支持部材に取り付けられたばね３３により第１の加熱コイル１８はトッププレート４の裏面（下面）に押圧されている。
【００３５】
また、ロースター３０の側方における本体前面には、誘導加熱調理器を使用して調理するときに操作する操作部３５が設けられている。さらに、ロースター３０の側方で第２の加熱コイル２０の下方には、第１乃至第３の加熱コイル１８，２０，２２を制御するための電子部品を備えた三つの制御基板３４，３６，３８が上下に積層された状態で配設されており、その後方には本体２外部の空気を吸い込むための複数（例えば、二つ）の遠心型吸気ファン４０，４２が上下に配置されている。
【００３６】
三つの制御基板３４，３６，３８は、吸気ファン４０，４２からの吐出空気により冷却されるが、本実施の形態では、吸気ファン４０，４２の構成上、図２の破線矢印で示されるように、上層及び下層の制御基板３４，３６には中間層の制御基板３８より多くの冷却風が供給される。また、三つの加熱コイル１８，２０，２２のうち、後方に配置された第３の加熱コイル２２の出力が最も小さいことから、第３の加熱コイル２２を制御する制御基板３８を中間層に配置している。
【００３７】
しかしながら、中間層の冷却風量は少ないことから、中間層を段差のある２段形状に構成して、スイッチング素子やダイオードブリッジ（パワーモジュール）等の第１の回路部品を上段３８ａに載置するとともに、コンデンサ等の第２の回路部品を下段３８ｂに載置して、冷却効率を向上させている。また、上段３８ａに載置された第１の回路部品上には、熱伝達率を向上させるためのヒートシンク４３が放熱手段として固定されており、ヒートシンク４３には、放熱効果を高めるために上方に延びる複数の冷却フィンが形成されている。
【００３８】
また、制御基板３４，３６，３８と吸気ファン４０，４２をカバーするために一体的に形成された基板及びファンカバー（以下、ファンカバーという）４４が、ロースターカバー３２とほぼ同じ高さで、吸気ファン４０，４２の外殻を形成する吸気ファンケース４６、ロースター３０、本体外殻の側壁部（図１では右側壁部）２ａ、及び本体外殻の前壁部２ｂで囲まれた空間の上方を仕切るように配設されている。
【００３９】
図４乃至図６はファンカバー４４と吸気ファンケース４６を示しており、ファンカバー４４の基板側には、第２の加熱コイル２０が載置されたコイルベース２６を支えるための複数（例えば、三つ）の支持部材４８が一体的に形成されており、この支持部材４８に取り付けられたばね５０により第２の加熱コイル２０はトッププレート４の裏面（下面）に押圧されている。
【００４０】
また、吸気ファン４０の上方に位置するファンカバー４４には、上方に向かって突設された吸気部４４ａが一体的に形成されており、吸気口１４から取り入れられた外部空気は、吸気部４４ａから吸気ファン４０，４２に吸入される。また、ファンカバー４４の第３の加熱コイル２２側には、第３の加熱コイル２２が載置されたコイルベース２８を支えるための複数（例えば、三つ）の支持部材の一つ５２がファンカバー４４上に吸気ファンケース４６の側壁（垂直壁）上方に近接した状態で一体的に形成されている。
【００４１】
さらに、図７に示されるように、第３の加熱コイル２２の下方のロースターカバー３２には、コイルベース２８を支えるための二つの支持部材５４が一体的に形成されており、これら二つの支持部材５４と上述した一つの支持部材５２に取り付けられたばね５６により第３の加熱コイル２２のコイルベース２８は当接部２８ｃ及びその上部に設けられた防振キャップ２８ｄを介してトッププレート４の裏面（下面）に押圧されている。
【００４２】
また、図４乃至図６に示されるように、吸気ファンケース４６の第３の加熱コイル２２側には、補助ファンケース５８の一部である下部ケース６０が一体的に形成されており、この下部ケース６０に補助ファン６２が収容され、補助ファンケース５８の別の一部である上部ケース６４が下部ケース６０に螺着されている。また、下部ケース６０には、吸気ファン４０から吐出された空気が吸入される吸入口６０ａが形成されており、上部ケース６４には、補助ファン６２から排出された空気が吐出される吐出口６４ａが形成されている。
【００４３】
図４及び図７に示されるように、第３の加熱コイル２２の外側のコイルベース２８上には環状の防磁リング６６が載置されており、防磁リング６６の外側におけるコイルベース２８には、ファンカバー４４の上方に向かって延出する略三角形状の延出部２８ａが一体的に形成されている。この延出部２８ａは、ファンカバー４４に形成された上述した支持部材５２に支持されるとともに、第３の加熱コイル２２に冷却風を送るための通風路６８が延出部２８ａの上下方向に形成されている。なお、上述した防磁リングは、第１の加熱コイル１８の外側のコイルベース２４上と、第２の加熱コイル２０の外側のコイルベース２６上にも同様に載置されている。
【００４４】
また、延出部２８ａの略反対側に位置するコイルベース２８には、防磁リング６６を保持するための略逆Ｌ字状の縦断面を有する係止部２８ｂが一体的に形成されており、この係止部２８ｂに一部が係止された防磁リング６６は、他の２ヵ所がコイルベース２８に螺着されている。防磁リング６６のこの取り付け方法は、コイルベース２８あるいは防磁リング６６が熱膨張で変形するのを防止するとともに防磁リング６６の固定を確実に行うためのものであり、コイルベース２８に複数の係止部を設け、防磁リング６６の少なくとも１ヵ所をコイルベース２８に螺着するようにしてもよい。なお、螺着に使用されるビスは高温にさらされると弛む可能性があり、弛むと騒音の原因にもなるので、より低温の風上側に設けてできるだけ冷却することで緩みを防止し、係止部２８ｂを風下側に設けるのが好ましい。
【００４５】
さらに、コイルベース２８には略平行に延びる二つのコイルホルダ７０が螺着されており、第３の加熱コイル２２は、コイルベース２８と二つのコイルホルダ７０により挟持されてコイルベース２８に保持されている。また、図８に示されるように、コイルホルダ７０が延在する方向は、コイルベース２８の延出部２８ａに形成された通風路６８を通過した冷却風が流れる方向と略一致している。
【００４６】
また、ロースターカバー３２に形成された二つの支持部材５４は、通風路６８を通過した冷却風の流れを妨げることなく、第３の加熱コイル２２の全体を効率よく冷却できる位置に配置されている。すなわち、第３の加熱コイル２２の外周部の接線のうち、通風路６８の略中心Ｃと第３の加熱コイル２２の中心を結ぶ線Ｌに対して平行な二本の接線Ｌ１，Ｌ２の外側に二つの支持部材５４は位置している。
【００４７】
上記構成の誘導加熱調理器において、特に第３の加熱コイル２２を使用して調理を行う場合の空気の流れを以下説明する。
加熱部１２に鍋等の被加熱物を載置し第３の加熱コイル２２を使用して調理を行う場合、操作部３５を操作して第３の加熱コイル２２に大電流を供給すると、被加熱物の底部に渦電流が発生して被加熱物自体が発熱する。この時、吸気ファン４０，４２にも給電され、図２の破線矢印で示されるように、吸気口１４から取り入れられた空気は、吸気ファンケース４６を下降して吸気ファン４０，４２に吸入される。また、吸気ファン４０，４２より吐出された空気は、３層に積層された制御基板３４，３６，３８上を通過し、一部は制御基板３４上方のファンカバー４４に形成された開口部４４ｂ，４４ｃ（図４参照）を通過して第２の加熱コイル２０及び第１の加熱コイル１８を通過する一方、別の一部は操作部３５を通過し、さらにロースター３０の前方上部を通過して各部を冷却した後、排気口１６より排出される。
【００４８】
なお、上述したように、３層の制御基板３４，３６，３８のうち、中間層の制御基板３６は、上層あるいは下層の制御基板３４，３８に比べ流れる風量が少ないことから、中間層を２段構成にして冷却効率を向上させている。また、中間層の上段３８ａに載置された第１の回路部品と下段３８ｂに載置された第２の回路部品とに高低差を設けることで、第１の回路部品上のヒートシンク４３にも吸気ファン４０から吐出された冷却風が直接当たることになり、本体前方に配置され上段３８ａに載置された第１の回路部品も十分に冷却される。
【００４９】
また、吸気ファン４０より吐出された空気のさらに別の一部は、補助ファンケース５８の下部ケース６０に形成された吸入口６０ａを介して補助ファンケース５８に収容された補助ファン６２に吸入され、補助ファン６２より吐出された空気は補助ファンケース５８の上部ケース６４に形成された吐出口６４ａより上方に吐出される。
【００５０】
さらに、補助ファン６２より上方に吐出された空気は、第３の加熱コイル２２が載置されたコイルベース２８の延出部２８ａに形成された通風路６８を通過して、防磁リング６６、第３の加熱コイル２２等を冷却した後、排気口１６より排出される。
【００５１】
なお、上述した実施の形態では、ファンカバー４４の近傍に補助ファン６２を取り付けたが、補助ファン６２は必ずしも必要ではない。すなわち、吸気ファン４０として遠心型の吸気ファンを採用しており、吸気ファン４０より吐出された空気の一部は、遠心力により必然的に吸気ファンケース４６に沿ってコイルカバー２８の延出部２８ａの下方を流れることから、延出部２８ａに通風路６８を形成しただけの構成でも第３の加熱コイル２２を冷却するための風量をある程度確保することができる。
【００５２】
また、延出部２８ａに通風路６８を必ずしも形成する必要はなく、通風路６８がない構成の場合、吸気ファン４０より吐出された空気は延出部２８ａに突き当たり第３の加熱コイル２２を載置するコイルベース２８の下方に向かって流れるので、加熱コイルを含むコイルベース全体を下方より冷却することができる。
【００５３】
また、上述した実施の形態では、基板カバー及びファンカバーを一体的に形成したが、必ずしも一体的に形成する必要はなく、別体としてもよい。
【産業上の利用可能性】
【００５４】
上述したように、本発明にかかる加熱調理器は、後方に配置した加熱コイルを効率的に冷却できるので、前方に二つの加熱コイルを設け後方に一つの加熱コイルを設けた三口誘導加熱調理器として有用である。
【図面の簡単な説明】
【００５５】
【図１】本発明にかかる誘導加熱調理器の分解斜視図
【図２】図１の誘導加熱調理器の縦断面図
【図３】トッププレートを取り外した状態の図１の誘導加熱調理器の平面図
【図４】図１の誘導加熱調理器に設けられた第３の加熱コイルとファンカバーと吸気ファンケースの分解斜視図
【図５】図４に示される補助ファンケースを下から見た場合の斜視図
【図６】図４の第３の加熱コイルとファンカバーと吸気ファンケースの正面図
【図７】第３の加熱コイルの平面図
【図８】冷却風の流れを示す第３の加熱コイルの平面図
【符号の説明】
【００５６】
２  調理器本体、  ２ａ  側壁部、  ２ｂ  前壁部、  ４  トッププレート、  
６  プレート枠、  ８，１０，１２  加熱部、  １４  吸気口、  １６  排気口、  
１８，２０，２２  加熱コイル、  ２４，２６，２８  コイルベース、  
２８ａ  延出部、  ２８ｂ  係止部、  ２８ｃ  当接部、  ２８ｄ  防振キャップ、  
３０  ロースター、  ３２  ロースターカバー、  ３３  ばね、  
３４，３６，３８  制御基板、  ３５  操作部、  ３８ａ  上段の制御基板、  
３８ｂ  下段の制御基板、  ４０，４２  吸気ファン、  ４３  ヒートシンク、  
４４  ファンカバー、  ４４ａ  吸気部、  ４６  吸気ファンケース、  
４８  支持部材、  ５０  ばね、  ５２，５４  支持部材、  ５６  ばね、  
５８  補助ファンケース、  ６０  下部ケース、  ６０ａ  吸入口、  
６２  補助ファン、  ６４  上部ケース、  ６４ａ  吐出口、  ６６  防磁リング、  
６８  通風路、  ７０  コイルホルダ。
【図１】
2008059982.tif 000003
【図２】
2008059982.tif 000004
【図３】
2008059982.tif 000005
【図４】
2008059982.tif 000006
【図５】
2008059982.tif 000007
【図６】
2008059982.tif 000008
【図７】
2008059982.tif 000009
【図８】
2008059982.tif 000010